(57)【要約】【課題】医療従事者による医療情報の誤認や誤操作を防ぐ医療情報協調管理装置及びそのプログラムを提供する。【解決手段】診断レポート、医用画像、電子化されたカルテ等の医療情報を医療従事者に参照させる複数の医療情報参照機能に関し、各医療情報参照機能の現在の協調状態と、参照要求のあった患者の患者特定情報とを表示する。協調接続中の医療情報参照機能のいずれかにおいて患者特定情報が更新されると、協調接続中の他の医療情報参照機能における患者特定情報も更新される。表示は、医療情報参照機能の協調状態に応じた色付けや記号、アイコンにより行う。【選択図】  図２
2005031740.tif 000002
【特許請求の範囲】
【請求項１】
診断レポート、医用画像、電子化されたカルテ等の種類の異なる医療情報を患者特定情報に関連付けて管理し、参照要求のあった患者の医療情報を医療従事者に参照させる複数の医療情報参照機能を協調させる医用情報協調管理装置において、
各医療情報参照機能が患者特定情報の更新を受諾又は拒否していることを示す各医療情報参照機能の現在の協調状態を検知する協調状態検知手段と、
前記協調状態検知手段によって検知された各医療情報参照機能の現在の協調状態と、参照要求のあった患者の患者特定情報とを表示させる協調共有情報表示手段と、
前記患者特定情報の更新を受諾している医療情報参照機能のうちのいずれか１つにおいて患者特定情報が更新されると、前記受諾している他の医療情報参照機能における患者特定情報を更新させる協調制御手段と、
を備えたことを特徴とする医療情報協調管理装置。
【請求項２】
診断レポート、医用画像、電子化されたカルテ等の種類の異なる医療情報を患者特定情報に関連付けて管理し、参照要求のあった患者の医療情報を医療従事者に参照させる複数の医療情報参照機能を協調させる医用情報協調管理プログラムにおいて、
各医療情報参照機能が患者特定情報の更新を受諾又は拒否していることを示す各医療情報参照機能の現在の協調状態を検知する協調状態検知機能と、
前記協調状態検知機能によって検知された各医療情報参照機能の現在の協調状態と、参照要求のあった患者の患者特定情報とを表示手段に表示させる協調共有情報表示機能と、
前記患者特定情報の更新を受諾している医療情報参照機能のうちのいずれか１つにおいて患者特定情報が更新されると、前記受諾している他の医療情報参照機能における患者特定情報を更新させる協調制御機能と、
を備えたことを特徴とする医療情報協調管理プログラム。
【発明の詳細な説明】
【０００１】
【発明の属する技術分野】
本発明は、診断レポート、医用画像、電子化されたカルテなどの医療情報を医療従事者に参照させる医療情報参照機能を協調させる医療情報協調管理装置及びそのプログラムに関するものである。
【０００２】
【従来の技術】
１９９９年の厚生省（当時）通達以来、医療情報の電子化が進んでおり、医師などの医療従事者は、患者に関する電子化されたカルテ、診断レポート、画像、オーダなどさまざまな医療情報を元に医療行為を行っている。医療従事者は、電子化された医療情報を参照するために、医療情報参照装置上で、注目する医療情報に特化した医療情報参照機能を用いている。
【０００３】
医療従事者が医療情報を参照するには、医療情報参照装置で、参照する情報に特化した医療情報参照機能を使用する。ひとつの医療情報参照機能では、患者ＩＤ、患者名などの患者を特定する情報（以下、患者特定情報という）を入力し、その患者に対する医療行為に必要な医療情報を参照するが、同じ患者に関する別種の医療情報を参照するためには、該別種の医療情報に特化した医療情報参照機能に、再度、同一の患者特定情報を入力しなければならず、医療情報の参照に手間と時間を要している。
【０００４】
このため、現在注目している患者に関する医療情報を医療情報協調管理機能が保持し、ひとつの医療情報参照機能で入力した患者特定情報を他の医療情報参照機能との間で共有、協調するようにした医療情報参照装置が知られている。
【０００５】
このような医療情報参照装置では、医療情報参照装置上で参照可能な医療情報に特化した各医療情報参照機能は、初期状態として、すべて医療情報協調管理機能に対して接続し、協調状態とする。
【０００６】
医療従事者がある患者に関係する数種の医療情報を参照する場合、それぞれの医療情報に特化した医療情報参照機能を用いる。医療従事者が最初に注目する医療情報に特化した医療情報参照機能に患者特定情報を入力すると、医療情報参照機能は、入力された患者特定情報を医療情報協調管理機能に送信する。医療情報協調管理機能は、協調状態にあるすべての医療情報参照機能に対して、共有している患者特定情報が更新されたことを送信する。
【０００７】
患者特定情報の更新を受信した医療情報参照機能は、そのときの自身の状態により、受諾、拒否、協調切断などの選択を行う。受諾する場合は、更新された患者特定情報により、その医療情報参照機能に特化した患者に関係する情報を表示する。拒否する場合は、現在の状態を維持する。協調切断の場合は、現在の状態を維持し、さらに、以後、医療情報協調管理機能から患者特定情報の更新が送信されなくなる。
【０００８】
また、カルテ管理サーバに蓄積された医療情報を利用できる医療情報システムや医療情報管理方法が知られている（例えば、特許文献１参照）。特許文献１に記載の技術では、サーバに医療情報が蓄積されており、医療機関や医療従事者、患者等の利用者は、その医療情報をネットワークを通じて時間や場所によらず利用でき、状況に応じた医療行為を行ったり診察を受ける医療機関を選択したりすることができるようになっている。
【０００９】
【特許文献１】
特開２００２−７３８０７号公報（第１図、第６図）
【００１０】
【発明が解決しようとする課題】
しかしながら上述のような従来の医療情報参照装置では、医療情報参照機能は患者特定情報が更新されたことを受信したときにその更新に対して拒否や協調切断を選択できるため、患者特定情報の更新を繰り返すと、現在どの医療情報参照機能が医療情報協調管理機能と協調しているか、そして、どのような患者特定情報を共有しているのかが不明確になり、医療情報参照機能において、医療従事者による誤認、誤操作が発生しやすくなるという問題がある。
【００１１】
また、上記特許文献１に記載の技術では単に医療情報が提供されるに過ぎないため、異なる種類の医療情報を同時に参照したり、同じ種類の医療情報を複数の異なる患者について参照するような場合に個々の情報を識別する手がかりが無く、利用者がそれらの医療情報を正しく認識できず誤認、混同を生じ、不適切な医療行為を招く恐れがある。
【００１２】
本発明は、上記事情を鑑みてなされたものであり、医療従事者による医療情報の誤認や誤操作を防げる医療情報協調管理装置及びそのプログラムを提供することを目的とする。
【００１３】
【課題を解決するための手段】
上記目的を達成するために、本願発明に係る医療情報協調管理装置は、診断レポート、医用画像、電子化されたカルテ等の種類の異なる医療情報を患者特定情報に関連付けて管理し、参照要求のあった患者の医療情報を医療従事者に参照させる複数の医療情報参照機能を協調させる医用情報協調管理装置において、各医療情報参照機能が患者特定情報の更新を受諾又は拒否していることを示す各医療情報参照機能の現在の協調状態を検知する協調状態検知手段と、前記協調状態検知手段によって検知された各医療情報参照機能の現在の協調状態と、参照要求のあった患者の患者特定情報とを表示させる協調共有情報表示手段と、前記患者特定情報の更新を受諾している医療情報参照機能のうちのいずれか１つにおいて患者特定情報が更新されると、前記受諾している他の医療情報参照機能における患者特定情報を更新させる協調制御手段と、を備えたことを特徴としている。
【００１４】
本願発明に係る医療情報協調管理装置では、医療情報参照機能の現在の協調状態と患者特定情報とを表示させるので、医療情報参照機能の協調状態および患者特定情報が明確になり、医療従事者による医療情報の誤認や誤操作が防止される。
【００１５】
本願発明に係る医療情報協調管理プログラムは、診断レポート、医用画像、電子化されたカルテ等の種類の異なる医療情報を患者特定情報に関連付けて管理し、参照要求のあった患者の医療情報を医療従事者に参照させる複数の医療情報参照機能を協調させる医用情報協調管理プログラムにおいて、各医療情報参照機能が患者特定情報の更新を受諾又は拒否していることを示す各医療情報参照機能の現在の協調状態を検知する協調状態検知機能と、前記協調状態検知機能によって検知された各医療情報参照機能の現在の協調状態と、参照要求のあった患者の患者特定情報とを表示手段に表示させる協調共有情報表示機能と、前記患者特定情報の更新を受諾している医療情報参照機能のうちのいずれか１つにおいて患者特定情報が更新されると、前記受諾している他の医療情報参照機能における患者特定情報を更新させる協調制御機能と、を備えたことを特徴としている。
【００１６】
本願発明に係る医療情報協調管理プログラムでは、医療情報参照機能の現在の協調状態と患者特定情報とを表示手段に表示させるので、医療情報参照機能の協調状態および患者特定情報が明確になり、医療従事者による医療情報の誤認や誤操作が防止される。
【００１７】
本願発明の第２の特徴に係る医療情報協調管理プログラムは、本願発明に係る医療情報協調管理プログラムにおいて、前記協調共有情報表示機能は、前記医療情報参照機能の現在の協調状態に応じて色付け表示させることを特徴としている。
【００１８】
本願発明第２の特徴に係る医療情報協調管理プログラムでは、医療情報参照機能の現在の協調状態がさらに明確になり、医療従事者による医療情報の誤認や誤操作をより確実に防止することができる。
【００１９】
本願発明第３の特徴に係る医療情報協調管理プログラムは、本願発明に係る医療情報協調管理プログラムまたは本願発明第２の特徴に係る医療情報協調管理プログラムにおいて、前記協調共有情報表示機能は、前記医療情報参照機能の現在の協調状態に応じて記号またはアイコン表示させることを特徴としている。
【００２０】
本願発明第３の特徴に係る医療情報協調管理プログラムでは、医療情報参照機能の現在の協調状態がさらに明確になり、医療従事者による医療情報の誤認や誤操作をより確実に防止することができる。
【００２１】
【発明の実施の形態】
以下、添付図面に従って、本発明に係る医療情報協調管理装置及びそのプログラムの好ましい実施の形態について詳説する。
【００２２】
図１に、本実施の形態に係る医療情報協調管理装置１０の構成を示す。医療情報協調管理装置１０は、中央処理装置（以下、ＣＰＵという）１２、主メモリ１４、磁気ディスク１６、表示メモリ１８、ディスプレイ２０、コントローラ２２、マウス２４、キーボード２６を備えており、これらは共通バス３０を介して接続されている。
【００２３】
磁気ディスク１６には、診断レポート、医用画像、電子化されたカルテ等の医療情報や医療情報協調管理プログラムＰｒ１００が格納されており、医療情報協調管理プログラムＰｒ１００に従って、ＣＰＵ１２が所定の処理を行う。処理に際しては、主メモリ１４が画像やデータの一時記憶、処理用の領域として用いられる。処理結果は表示メモリ１８を介してＣＲＴ２０に表示されるとともに磁気ディクス１６に格納され、再表示や結果参照に利用される。
【００２４】
また、医療情報協調管理装置１０では、医療従事者は、コントローラ２２に接続されているマウス２４やキーボード２６により、医療情報参照機能の起動や患者特定情報の入力等が可能になっている。
【００２５】
医療情報協調管理プログラムＰｒ１００は、医療情報参照機能としての診断レポート参照機能Ｆ１０２および画像参照機能Ｆ１０３を有し、これらの機能が、医療情報協調管理機能Ｆ１０１により患者特定情報を共有し、協調動作する（後述）。これらの医療情報参照機能の協調状態には、協調接続（接続）、協調拒否（拒否）、協調切断（切断）がある。
【００２６】
なお、本実施の形態では、医療情報協調管理装置１０が診断レポート参照機能Ｆ１０２および画像参照機能Ｆ１０３を備える場合について説明しているが、医療情報参照機能はこれらに限定されるものではなく、電子化カルテ参照機能や診療履歴参照機能等を備えるようにしてもよい。
【００２７】
医療情報協調管理機能Ｆ１０１は、機能名称、協調状態、使用ユーザ、患者ＩＤ、患者名、性別、年齢を逐次表示する機能を持つ協調共有情報画面Ｓ１０７を持ち、患者特定情報を一意に特定するための患者特定情報ＩＤ、患者ＩＤ、患者名、性別、年齢を管理する患者特定情報Ｉ１０４を持ち、使用ユーザを一意に特定する使用ユーザＩＤ、使用ユーザを管理する使用ユーザ情報Ｉ１０５を持ち、機能名称、機能状態、使用ユーザＩＤ、患者特定情報ＩＤを管理する協調情報Ｉ１０６を持つ。
【００２８】
診断レポート参照機能Ｆ１０２は、診断レポート参照画面Ｓ１０８、使用ユーザ入力、患者特定情報の入力、診断レポート参照に特化した機能、医療情報協調管理機能Ｆ１０１と協調、共有するための機能を持つ。
【００２９】
画像参照機能Ｆ１０３は、画像参照画面Ｓ１０９、使用ユーザ入力、患者特定情報の入力、画像参照に特化した機能、医療情報協調管理機能Ｆ１０１と協調、共有するための機能を持つ。
【００３０】
次に、医療情報協調管理装置１０における、医療情報協調管理機能Ｆ１０１による、診断レポート参照機能Ｆ１０２と画像参照機能Ｆ１０３との協調動作について説明する。図２に、医療情報協調管理機能Ｆ１０１、診断レポート参照機能Ｆ１０２、および画像参照機能Ｆ１０３の協調動作と画面表示の様子を示す。
【００３１】
まず、図３に基づき、診断レポート参照機能Ｆ１０２と画像参照機能Ｆ１０３とが、医療情報協調管理機能Ｆ１０１と協調するため接続するシーケンスについて説明する。
【００３２】
医療従事者Ｕ２０１は、診断レポート参照機能Ｆ１０２を起動する。診断レポート参照機能Ｆ１０２は、医療情報協調管理機能Ｆ１０１に協調接続Ｃ２０２を行う。
【００３３】
医療情報協調管理機能Ｆ１０１は、協調接続Ｃ２０２を受信すると、内部情報更新Ｐ２０３により、協調情報Ｉ１０６に機能名称（診断レポート参照）、協調状態（接続中）、使用ユーザＩＤ（無し）、患者特定情報ＩＤ（無し）を登録し、協調共有情報更新表示Ｐ２０４により、協調共有情報画面Ｓ１０７に機能名称（診断レポート参照）、協調状態（接続中）、使用ユーザ（無し）、患者ＩＤ（無し）、患者名（無し）、性別（無し）、年齢（無し）を表示する（図３（ｂ）参照）。この表示は、診断レポート参照機能Ｆ１０２の協調状態（接続中）に応じた色（本実施の形態では青色）で行われる。
【００３４】
次に、医療従事者Ｕ２０１は画像参照機能Ｆ１０３を起動する。画像参照機能Ｆ１０３は、医療情報協調管理機能Ｆ１０１に協調接続Ｃ２０５を行う。
【００３５】
医療情報協調管理機能Ｆ１０１は、協調接続Ｃ２０５を受信すると、内部情報更新Ｐ２０６により、協調情報Ｉ１０６に機能名称（画像参照）、協調状態（接続中）、使用ユーザＩＤ（無し）、患者特定情報ＩＤ（無し）を登録し、協調共有情報更新表示Ｐ２０７により、協調共有情報画面Ｓ１０７に機能名称（画像参照）、協調状態（接続中）、使用ユーザ（無し）、患者ＩＤ（無し）、患者名（無し）、性別（無し）、年齢（無し）を表示する（図３（ｃ）参照）。この表示は、画像参照機能Ｆ１０３の協調状態（接続中）に応じた色（本実施の形態では青色）で行われる。
【００３６】
このように、医療情報協調管理装置１０では、医療情報参照機能が協調接続を行うと、協調共有情報画面Ｓ１０７の表示がその結果を反映して更新されるので、医療従事者は現在の状態を容易に認識することができ、誤認や誤操作が防止される。
【００３７】
次に、図４に基づき、診断レポート参照機能Ｆ１０２と画像参照機能Ｆ１０３とが、医療情報協調管理機能Ｆ１０１と協調して使用ユーザ情報を設定するシーケンスについて説明する。
【００３８】
医療従事者Ｕ２０１は、診断レポート参照機能Ｆ１０２を利用するため、使用ユーザ（ｙａｍａｄａ）入力ＩＮ３０１を行う。診断レポート参照機能Ｆ１０２は、入力された使用ユーザを認識したら使用可能状態となり、入力された使用ユーザ（ｙａｍａｄａ）を、使用ユーザ更新Ｐ３０２で医療情報協調管理機能Ｆ１０１に送信する。
【００３９】
使用ユーザ更新Ｐ３０２を受信した医療情報協調管理機能Ｆ１０１は、内部情報更新Ｐ３０３により、使用ユーザ情報Ｉ１０５に使用ユーザ（ｙａｍａｄａ）を登録し、使用ユーザＩＤ（２）を得てから、協調情報Ｉ１０６に機能名称（診断レポート参照）、協調状態（接続中）、使用ユーザＩＤ（２）、患者特定情報ＩＤ（無し）を登録し、協調共有情報更新表示Ｐ３０４により、協調共有情報画面Ｓ１０７に機能名称（診断レポート参照）、協調状態（接続中）、使用ユーザ（ｙａｍａｄａ）、患者ＩＤ（無し）、患者名（無し）、性別（無し）、年齢（無し）を表示する（図４（ｂ）参照）。この表示は、診断レポート参照機能Ｆ１０２の協調状態（接続中）に応じた色（本実施の形態では青色）で行われる。
【００４０】
医療情報協調管理機能Ｆ１０１は、画像参照機能Ｆ１０３に使用ユーザ更新Ｐ３０５により、使用ユーザ（ｙａｍａｄａ）を送信する。
【００４１】
画像参照機能Ｆ１０３は、使用ユーザ（ｙａｍａｄａ）があたかも入力されたように動作し、使用ユーザを認識すると使用可能状態となり、医療情報協調管理機能Ｆ１０１に受諾Ｒ３０６を送信する。
【００４２】
受諾Ｒ３０６を受信した医療情報協調管理機能Ｆ１０１は、内部情報更新Ｐ３０７により、協調情報Ｉ１０６に機能名称（画像参照）、協調状態（接続中）、使用ユーザＩＤ（２）、患者特定情報ＩＤ（無し）を登録する。
【００４３】
医療情報協調管理機能Ｆ１０１は、協調共有情報更新表示Ｐ３０８により、協調共有情報画面Ｓ１０７に機能名称（画像参照）、協調状態（接続中）、使用ユーザ（ｙａｍａｄａ）、患者ＩＤ（無し）、患者名（無し）、性別（無し）、年齢（無し）を表示する（図４（ｃ）参照）。この表示は、画像参照機能Ｆ１０３の協調状態（接続中）に応じた色（本実施の形態では青色）で行われる。
【００４４】
このように、医療情報協調管理装置１０では、医療従事者が診断レポート参照機能Ｆ１０２に使用ユーザ情報を設定すると、その情報が協調接続状態にある画像参照機能Ｆ１０３に反映される。また、使用ユーザ情報が設定されると、協調共有情報画面Ｓ１０７の表示はその結果を反映して更新されるので、医療従事者は現在の状態を容易に認識でき、誤認や誤操作が防止される。
【００４５】
次に、図５に基づき、診断レポート参照機能Ｆ１０２と画像参照機能Ｆ１０３とが、医療情報協調管理機能Ｆ１０１と協調して患者特定情報を設定するシーケンスについて説明する。
【００４６】
医療従事者Ｕ２０１は、診断レポート参照機能Ｆ１０２で、患者特定情報（患者ＩＤ：００−１２３−４、患者名：日立太郎）入力ＩＮ４０１を行う。
【００４７】
診断レポート参照機能Ｆ１０２は、入力された患者特定情報（患者ＩＤ：００−１２３−４、患者名：日立太郎）により、診断レポート参照特化処理Ｐ４０２を行い、患者特定情報を認識し、付随する患者情報を追加（性別：男、年齢３８）した後に、患者特定情報（患者ＩＤ：００−１２３−４、患者名：日立太郎、性別：男、年齢３８）を患者特定情報更新Ｐ４０３で医療情報協調管理機能Ｆ１０１に送信する。
【００４８】
患者特定情報更新Ｐ４０３を受信した医療情報協調管理機能Ｆ１０１は、内部情報更新Ｐ４０４により、患者特定情報Ｉ１０４に患者ＩＤ（００−１２３−４）、患者名（日立太郎）、性別（男）、年齢（３８）を登録し、患者特定情報ＩＤ（２）を得てから、協調情報Ｉ１０６に機能名称（診断レポート参照）、協調状態（接続中）、使用ユーザＩＤ（２）、患者特定情報ＩＤ（２）を登録し、協調共有情報更新表示Ｐ４０５により、協調共有情報画面Ｓ１０７に機能名称（診断レポート参照）、協調状態（接続中）、使用ユーザ（ｙａｍａｄａ）、患者ＩＤ（００−１２３−４）、患者名（日立太郎）、性別（男）、年齢（３８）を表示する（図５（ｂ）参照）。この表示は、診断レポート参照機能Ｆ１０２の協調状態（接続中）に応じた色（本実施の形態では青色）で行われる。
【００４９】
医療情報協調管理機能Ｆ１０１は、画像参照機能Ｆ１０３に患者特定情報更新Ｐ４０６により、患者特定情報（患者ＩＤ：００−１２３−４、患者名：日立太郎、性別：男、年齢３８）を送信する。画像参照機能Ｆ１０３は、患者特定情報（患者ＩＤ：００−１２３−４、患者名：日立太郎、性別：男、年齢３８）があたかも入力されたように動作し、画像参照特化処理Ｐ４０７を行い、医療情報協調管理機能Ｆ１０１に受諾Ｒ４０８を送信する。
【００５０】
受諾Ｒ４０８を受信した医療情報協調管理機能Ｆ１０１は、内部情報更新Ｐ４０９により、協調情報Ｉ１０６に機能名称（画像参照）、協調状態（接続中）、使用ユーザＩＤ（２）、患者特定情報ＩＤ（２）を登録し、協調共有情報更新表示Ｐ４１０により、協調共有情報画面Ｓ１０７に機能名称（画像参照）、協調状態（接続中）、使用ユーザ（ｙａｍａｄａ）、患者ＩＤ（００−１２３−４）、患者名（日立太郎）、性別（男）、年齢（３８）を表示する（図５（ｃ）参照）。この表示は、診断レポート参照機能Ｆ１０２の協調状態（接続中）に応じた色（本実施の形態では青色）で行われる。
【００５１】
このように、医療情報協調管理装置１０では、医療従事者が診断レポート参照機能Ｆ１０２に患者特定情報を設定すると、その情報が協調接続状態にある画像参照機能Ｆ１０３に反映される。また、患者特定情報が設定されると、協調共有情報画面Ｓ１０７の表示がその結果を反映して更新されるので、医療従事者は現在の状態を容易に認識でき、誤認や誤操作が防止される。
【００５２】
次に、図６に基づき、診断レポート参照機能Ｆ１０２と画像参照機能Ｆ１０３とが、医療情報協調管理機能Ｆ１０１と協調して、新たな患者特定情報を設定するシーケンスについて説明する。なお、以下のシーケンスでは、画像参照機能Ｆ１０３が医療情報協調管理機能Ｆ１０１からの患者特定情報更新を拒否する場合について説明している。
【００５３】
医療従事者Ｕ２０１は、診断レポート参照機能Ｆ１０２で、患者特定情報（患者ＩＤ：００−４５６−７、患者名：日立花子）入力ＩＮ５０１を行う。診断レポート参照機能Ｆ１０２は、入力された患者特定情報（患者ＩＤ：００−４５６−７、患者名：日立花子）により、診断レポート参照特化処理Ｐ５０２を行い、患者特定情報を認識し、付随する患者情報を追加（性別：女、年齢４０）した後に、患者特定情報（患者ＩＤ：００−４５６−７、患者名：日立花子、性別：女、年齢４０）を患者特定情報更新Ｐ５０３で医療情報協調管理機能Ｆ１０１に送信する。
【００５４】
患者特定情報更新Ｐ５０３を受信した医療情報協調管理機能Ｆ１０１は、内部情報更新Ｐ５０４により、患者特定情報Ｉ１０４に患者ＩＤ（００−４５６−７）、患者名（日立花子）、性別（女）、年齢（４０）を登録し、患者特定情報ＩＤ（１）を得てから、協調情報Ｉ１０６に機能名称（診断レポート参照）、協調状態（接続中）、使用ユーザＩＤ（２）、患者特定情報ＩＤ（１）を登録し、協調共有情報更新表示Ｐ５０５により、協調共有情報画面Ｓ１０７に機能名称（診断レポート参照）、協調状態（接続中）、使用ユーザ（ｙａｍａｄａ）、患者ＩＤ（００−４５６−７）、患者名（日立花子）、性別（女）、年齢（４０）を表示する（図６（ｂ）参照）。この表示は、診断レポート参照機能Ｆ１０２の協調状態（接続中）に応じた色（本実施の形態では青色）で行われる。
【００５５】
医療情報協調管理機能Ｆ１０１は、画像参照機能Ｆ１０３に患者特定情報更新Ｐ５０６により、患者特定情報（患者ＩＤ：００−４５６−７、患者名：日立花子、性別：女、年齢４０）を送信する。
【００５６】
画像参照機能Ｆ１０３は、このとき、画像参照特化処理Ｐ５０７を行い、その結果、この機能特有の事情により、拒否Ｒ５０８を医療情報協調管理機能Ｆ１０１に送信する。
【００５７】
拒否Ｒ５０８を受信した医療情報協調管理機能Ｆ１０１は、内部情報更新Ｐ５０９により、協調情報Ｉ１０６に機能名称（画像参照）、協調状態（拒否中）、使用ユーザＩＤ（２）、患者特定情報ＩＤ（２）を登録し、協調共有情報更新表示Ｐ５１０により、協調共有情報画面Ｓ１０７に機能名称（画像参照）、協調状態（拒否中）、使用ユーザ（ｙａｍａｄａ）、患者ＩＤ（００−１２３−４）、患者名（日立太郎）、性別（男）、年齢（３８）を表示し、患者特定情報が変化していないことを医療従事者Ｕ２０１に示す（図６（ｃ）参照）。この表示は、画像参照機能Ｆ１０３の協調状態（拒否中）に応じた色（本実施の形態では黄色）で行われる。
【００５８】
このように、医療情報協調管理装置１０では、医療従事者が診断レポート参照機能Ｆ１０２に新たな患者特定情報を設定すると、協調接続拒否状態にある画像参照機能Ｆ１０３は患者特定情報の更新を拒否し、状態を維持する。このような患者特定情報の更新がなされると、協調共有情報画面Ｓ１０７の表示はその結果を反映して更新される。また、この表示は診断レポート参照機能Ｆ１０２および画像参照機能Ｆ１０３の協調状態に応じた色（本実施の形態では、接続中：青、拒否中：黄）により行われる。したがって医療従事者は現在の協調状態や共有情報を容易に認識でき、誤認や誤操作が防止される。
【００５９】
なお、図６のシーケンスでは、画像参照機能Ｆ１０３が患者特定情報の更新を拒否する場合について説明しているが、画像参照機能Ｆ１０３が受諾する場合は、新たな患者特定情報（本実施の形態では患者ＩＤ：００−４５６−７、患者名：日立花子、性別：女、年齢：４０）の設定が反映される。
【００６０】
なお、本実施の形態では、医療情報参照機能が協調接続あるいは協調拒否を行う場合について説明しているが、患者特定情報が更新された場合、各医療情報参照機能は状況に応じて協調切断を行うことも可能である。この場合、協調切断した医療情報参照機能は現在の状態を維持し、さらに、以後、医療情報協調管理機能から患者特定情報の更新が送信されなくなる。協調共有情報画面は、これらの結果を反映して更新される。
【００６１】
また、本実施の形態では、各医療情報参照機能が協調接続状態にある場合は青色、拒否状態にある場合は黄色で表示する場合について説明しているが、協調状態と色付けの関係はこれに限定されるものではなく、白、黒、茶色、赤、緑、紫、オレンジ等、任意の色付けで表示してよい。
【００６２】
また、本実施の形態では、各医療情報参照機能の協調状態に応じて色付け表示を行う場合について説明しているが、協調状態に応じて記号やアイコン表示を行うことも可能である。例えば、協調中の医療情報参照機能を○印とし、拒否中の医療情報参照機能を×印としたり、「協調中」の表示に○印を重ね合せ、「拒否中」の表示に×印を重ね合せて表示することができる。なお、記号やアイコン表示は、色付けと組み合わせて行ってよい。
【００６３】
【発明の効果】
以上説明したように、本発明によれば、医療従事者による医療情報の誤認や誤操作が防止される。
【図面の簡単な説明】
【図１】本発明の一の実施形態に係る医療情報協調管理装置の構成図である。
【図２】本発明の一の実施の形態に係り、医療情報参照機能が患者特定情報を共有し、協調動作する場合の画面例および構成を示す図である。
【図３】本発明の一の実施の形態に係り、協調接続のシーケンスおよび協調共有情報画面の例を示す図である。
【図４】本発明の一の実施の形態に係り、使用ユーザ情報設定のシーケンスおよび協調共有情報画面の例を示す図である。
【図５】本発明の一の実施の形態に係り、患者特定情報設定のシーケンスおよび協調共有情報画面の例を示す図である。
【図６】本発明の一の実施の形態に係り、患者特定情報設定のシーケンスおよび協調共有情報画面の他の例を示す図である。
【符号の説明】
１０・・・医療情報協調管理装置、Ｐｒ１００・・・医療情報協調管理プログラム
Ｆ１０１・・・医療情報協調管理機能、Ｆ１０２・・・診断レポート参照機能、Ｆ１０３・・・画像参照機能
Ｉ１０４・・・患者特定情報、Ｉ１０５・・・使用ユーザ情報、Ｉ１０６・・・協調情報
Ｓ１０７・・・協調共有情報画面、Ｓ１０８・・・診断レポート参照画面、Ｓ１０９・・・画像参照画面
Ｕ２０１・・・医療従事者
Ｃ２０２、Ｃ２０５・・・協調接続、Ｐ２０３、Ｐ２０６、Ｐ３０３、Ｐ３０７、Ｐ４０４、Ｐ４０９、Ｐ５０４、Ｐ５０９・・・内部情報更新、Ｐ２０４、Ｐ２０７、Ｐ３０４、Ｐ３０８、Ｐ４０５、Ｐ４１０、Ｐ５０５、Ｐ５１０・・・協調共有情報更新表示、Ｐ３０２、Ｐ３０５・・・使用ユーザ更新、Ｐ４０２、Ｐ５０２・・・診断レポート参照特化処理、Ｐ４０３、Ｐ４０６、Ｐ５０３、Ｐ５０６・・・患者特定情報更新、Ｐ４０７、Ｐ５０７・・・画像参照特化処理
ＩＮ３０１・・・使用ユーザ入力、ＩＮ４０１、ＩＮ５０１・・・患者特定情報入力
Ｒ３０６、Ｒ４０８・・・受諾、Ｒ５０８・・・拒否
【図１】
2005031740.tif 000003
【図２】
2005031740.tif 000004
【図３】
2005031740.tif 000005
【図４】
2005031740.tif 000006
【図５】
2005031740.tif 000007
【図６】
2005031740.tif 000008